(57)【要約】      （修正有）【課題】貸し金庫の使い勝手を向上させる。【解決手段】多数の貸金庫ボックスＢをラック１１に収納して保管する金庫室１０と、金庫室１０に付設し、顧客に貸金庫ボックスＢを利用させるブース２０と、指定の貸金庫ボックスＢをラック１１から取り出してブース２０のスライド蓋２５ａ付きの開口部２５に搬出し、利用済みの貸金庫ボックスＢをラック１１の指定位置に戻しいれる搬送システムとを設け、ブース２０は、三方を仕切る背面開放形に形成し、立ち姿勢によってアクセスする開口部２５と操作パネル２４とを正面壁２２の前面に配置する。【選択図】図１
2011106132.tif 000002
【特許請求の範囲】
【請求項１】
多数の貸金庫ボックスをラックに収納して保管する金庫室と、該金庫室に付設し、顧客に貸金庫ボックスを利用させるブースと、指定の貸金庫ボックスを前記ラックから取り出して前記ブースのスライド蓋付きの開口部に搬出し、利用済みの貸金庫ボックスを前記ラックの指定位置に戻し入れる搬送システムとを備えてなり、前記ブースは、左右の仕切壁と正面壁とによって三方を仕切る背面開放形に形成し、立ち姿勢によってアクセスする前記開口部と顧客用の操作パネルとを前記正面壁の前面に配置することを特徴とする貸金庫装置。
【請求項２】
前記操作パネルには、顧客を認証する認証手段を付設することを特徴とする請求項１記載の貸金庫装置。
【請求項３】
前記金庫室には、電子錠付きの入室ドアを有する閉鎖形のブースを併せて付設することを特徴とする請求項１または請求項２記載の貸金庫装置。
【発明の詳細な説明】
【技術分野】
【０００１】
この発明は、顧客の使い勝手を最大に向上させることができる貸金庫装置に関する。
【背景技術】
【０００２】
顧客の要望に応じて貴重品などを安全に保管することができる貸金庫装置が金融機関などの店舗に設置されている。
【０００３】
従来の貸金庫装置は、多数の貴重品保管用の貸金庫ボックスを収納するラックを金庫室内に設置し、顧客の要望に応じて、スタッカクレーンなどの搬送システムを介して指定の貸金庫ボックスをラックから取り出して専用のブースに搬出し、ブース内で貸金庫ボックスの内部を利用させる。また、利用済みの貸金庫ボックスは、搬送システムを介してラックの指定位置に自動的に戻し入れられる（たとえば特許文献１、２）。なお、金庫室に付設するブースは、電子錠付きの入室ドアを有する閉鎖形に構成されており、顧客は、たとえばあらかじめ給付されているＩＤカードを使用して入室ドアを解錠して入室すると、顧客用の操作パネルを介して顧客情報を入力することにより、自分の貸金庫ボックスを金庫室からブース内のスライド蓋付きの開口部に搬出させて利用することができる。
【先行技術文献】
【特許文献】
【０００４】
【特許文献１】特開２００１−２０６１１号公報
【特許文献２】特開２００３−３０１６６４号公報
【発明の概要】
【発明が解決しようとする課題】
【０００５】
かかる従来技術によるときは、金庫室に付設するブースは、電子錠付きの入室ドアを有する閉鎖形であるから、安全性が高いとしても、貸金庫ボックスの１回当りの利用時間が極く短い場合や、短時間内に貸金庫ボックスを再利用する場合などにおいて、ブースへの入室動作が煩雑であり、顧客の使い勝手が必ずしも良好でないという問題があった。ただし、ここでいう極く短い１回当りの利用時間とは、たとえば２〜３分以内のオーダであり、再利用までの短時間とは、たとえば５分以内のオーダである。
【０００６】
そこで、この発明の目的は、かかる従来技術の問題に鑑み、入室ドアがない背面開放形のブースを金庫室に付設することによって、顧客の使い勝手を格段に向上させることができる貸金庫装置を提供することにある。
【課題を解決するための手段】
【０００７】
かかる目的を達成するためのこの発明の構成は、多数の貸金庫ボックスをラックに収納して保管する金庫室と、金庫室に付設し、顧客に貸金庫ボックスを利用させるブースと、指定の貸金庫ボックスをラックから取り出してブースのスライド蓋付きの開口部に搬出し、利用済みの貸金庫ボックスをラックの指定位置に戻し入れる搬送システムとを備えてなり、ブースは、左右の仕切壁と正面壁とによって三方を仕切る背面開放形に形成し、立ち姿勢によってアクセスする開口部と顧客用の操作パネルとを正面壁の前面に配置することをその要旨とする。
【０００８】
なお、操作パネルには、顧客を認証する認証手段を付設することができ、金庫室には、電子錠付きの入室ドアを有する閉鎖形のブースを併せて付設することができる。
【発明の効果】
【０００９】
かかる発明の構成によるときは、貸金庫ボックスは、搬送システムを介し、金庫室のラックから取り出されてブースのスライド蓋付きの開口部に搬出される。そこで、ブース内の顧客は、開口部に搬出された貸金庫ボックスを解錠して内部を利用することができ、搬送システムを介し、利用済みの貸金庫ボックスをラックの指定位置に戻し入れすることができる。なお、ブースは、三方を仕切る背面開放形であり、入室ドアがなく、入退室に伴う入室ドアの解錠操作が不要である上、開口部や顧客用の操作パネルも立ち姿勢によりアクセス可能であるから、貸金庫ボックスの利用時間が短い場合、短時間内に貸金庫ボックスを再利用する場合などにおいても、煩雑でなく、良好な使い勝手を実現することができる。また、入室ドアに付随する入室用のカードリーダや退室用のキーユニットなどの設備も不要であるため、全体の設置コストを削減し、省スペース化を図ることができる。
【００１０】
なお、貸金庫ボックスを利用するためのスライド蓋付きの開口部や、顧客用の操作パネルは、立ち姿勢でアクセスするに便利な高さ位置にして正面壁の前面に配置するものとする。また、正面壁には、背後に近付く不審者などの有無を確認するために、鏡や、録画機能を有する監視用のテレビカメラなどを設備することが好ましい。
【００１１】
顧客を認証する認証手段を付設する操作パネルは、認証済みの顧客による操作内容のみを受け付け、認証されない顧客による貸金庫ボックスの利用を拒絶することにより、安全性を高めることができる。ただし、ここでいう認証手段は、たとえば暗証番号や、磁気カード、ＩＣカードなどのＩＤカードによる認証手段の他、顔、指紋、掌紋、声紋や、虹彩、網膜などの毛細血管パターン等を利用する生体認証手段であってもよい。
【００１２】
入室ドアを有する閉鎖形のブースを金庫室に併せて付設すれば、顧客は、要望により、背面開放形、閉鎖形の各ブースの一方を任意に選択して利用することができる。
【図面の簡単な説明】
【００１３】
【図１】全体構成平面模式図
【図２】全体構成側面模式図
【図３】動作フローチャート
【図４】他の実施の形態を示す図１相当図（１）
【図５】他の実施の形態を示す図３相当図
【図６】他の実施の形態を示す図１相当図（２）
【図７】他の実施の形態を示す図１相当図（３）
【発明を実施するための形態】
【００１４】
以下、図面を以って発明の実施の形態を説明する。
【００１５】
貸金庫装置は、金庫室１０に対し、背面開放形のブース２０を付設してなる（図１）。
【００１６】
金庫室１０は、必要十分な耐火性能、防盗性能を有するように構築されている。金庫室１０には、一対のラック１１、１１が対面配置されており、各ラック１１には、平箱状の貸金庫ボックスＢ、Ｂ…を複列多段に収納することができる。なお、ラック１１、１１内の貸金庫ボックスＢ、Ｂ…は、顧客ごとに特定されている。
【００１７】
ブース２０は、左右の仕切壁２１、２１と、正面壁２２とによって三方が仕切られている。正面壁２２の前面には、操作台２３が設置されており（図１、図２）、操作台２３上には、顧客Ｍ用の操作パネル２４が搭載され、スライド蓋２５ａ付きの開口部２５が形成されている。操作パネル２４には、顧客Ｍを認証するためのカードリーダ２４ａが隣接して付設されており、操作台２３は、顧客Ｍが立ち姿勢により操作パネル２４、開口部２５にアクセスするに適切な高さに設定されている。開口部２５には、顧客Ｍの貸金庫ボックスＢが金庫室１０から搬出され、顧客Ｍは、スライド蓋２５ａを開放することにより貸金庫ボックスＢの内部を利用することができる。
【００１８】
金庫室１０内のラック１１、１１の間には、移載機１２が配置されている。移載機１２は、ラック１１、１１の間に昇降する長方形のキャリッジ１２ａと、キャリッジ１２ａに搭載する移載ユニット１２ｂと、移載ユニット１２ｂに搭載する係合ユニット１２ｃとを備えている。
【００１９】
移載機１２は、キャリッジ１２ａを昇降させ、移載ユニット１２ｂをラック１１、１１に沿って往復移動させることにより（図１の矢印Ｋb 方向）、移載ユニット１２ｂ上の係合ユニット１２ｃを各ラック１１内の任意の位置の貸金庫ボックスＢに対向させることができる。そこで、係合ユニット１２ｃをラック１１に向けて進退させることにより（図１の矢印Ｋc 方向）、ラック１１内の貸金庫ボックスＢを移載ユニット１２ｂ上に引き出し、または移載ユニット１２ｂ上の貸金庫ボックスＢをラック１１内に収納することができる。
【００２０】
各貸金庫ボックスＢは、前後面にそれぞれフックＢ1 を有し、係合ユニット１２ｃは、各ラック１１の前面側に突出する貸金庫ボックスＢのフックＢ1 に係合する図示しない係合部材を前後両側に有する。そこで、係合ユニット１２ｃは、貸金庫ボックスＢのフックＢ1 に係合部材を係合させ、ラック１１と移載ユニット１２ｂとの間に貸金庫ボックスＢを移動させることができる。なお、ブース２０の開口部２５に近い側のラック１１の列のうち、開口部２５に最も近い列内には、図示しない貸金庫ボックスＢの受渡し位置が設定されている。
【００２１】
ラック１１内の任意の貸金庫ボックスＢは、移載機１２の移載ユニット１２ｂ上に引き出されると、キャリッジ１２ａを昇降させ、移載ユニット１２ｂを移動させて受渡し位置の前面にまで搬送し、係合ユニット１２ｃを介して受渡し位置に収納することができ、その後、図示しないコンベヤを介して受渡し位置からブース２０側の開口部２５にまで搬送することができる（図１の矢印Ｋ方向）。また、このようにして開口部２５に搬出された貸金庫ボックスＢは、開口部２５のスライド蓋２５ａを開くことにより、顧客Ｍが保有する鍵によって解錠し、内部を利用することができる。利用済みの貸金庫ボックスＢは、施錠してスライド蓋２５ａを閉じることにより、図示しないコンベヤを介して金庫室１０側の受渡し位置に戻し（図１の矢印Ｋの反対方向）、移載機１２により受渡し位置から引き出して元のラック１１内の指定位置に戻し入れることができる。
【００２２】
すなわち、ブース２０の開口部２５と金庫室１０の受渡し位置との間のコンベヤは、金庫室１０内の移載機１２とともに、貸金庫ボックスＢをラック１１の所定の収納位置と、ブース２０の開口部２５との間に往復搬送する搬送システムを構成している。なお、開口部２５と金庫室１０側の受渡し位置との間のコンベヤは、貸金庫ボックスＢが通過するときにのみ開放される自動シャッタ１５を介してブース２０側、金庫室１０側に分割されており、自動シャッタ１５は、金庫室１０の必要な耐火性能、防盗性能を維持することができる。また、金庫室１０には、保守点検用の二重ドア１６が付設されている。
【００２３】
図１、図２の貸金庫装置は、たとえば図３のフローチャートに従って作動することができる。
【００２４】
まず、顧客Ｍは、ブース２０内のカードリーダ２４ａに認証用のＩＤカードを読み込ませて認証を受ける（図３のステップ（１）、以下、単に（１）のように記す）。認証が成功すると、操作パネル２４が操作可能になるから、顧客Ｍは、操作パネル２４に暗証番号を入力して受付操作をする（２）。そこで、移載機１２が自動スタートし、顧客Ｍの貸金庫ボックスＢをラック１１の指定位置から取り出して受渡し位置に収納し、図示しないコンベヤを介してブース２０の開口部２５に搬出する（３）。
【００２５】
顧客Ｍの貸金庫ボックスＢが開口部２５に出庫されると、その旨が操作パネル２４上に表示されるから、顧客Ｍは、操作パネル２４に「取出」指示を入力して開口部２５のスライド蓋２５ａを開放させ（４）、保有する鍵により貸金庫ボックスＢを解錠して内部を利用することができる（５）。その後、顧客Ｍは、貸金庫ボックスＢを施錠した上、操作パネル２４に「返却」指示を入力することにより開口部２５のスライド蓋２５ａを閉じ（６）、貸金庫ボックスＢは、開口部２５から金庫室１０の受渡し位置を経由して元のラック１１の指定位置に自動的に戻し入れされる（７）。顧客Ｍの貸金庫ボックスＢの入庫動作が完了すると、次の顧客Ｍの認証動作が可能となる。
【００２６】
以上の説明において、操作パネル２４は、いわゆるタッチパネル式に構成することが好ましい。また、図３のステップ（３）の出庫動作、ステップ（７）の入庫動作は、その進行状況を操作パネル２４上にリアルタイムに表示してもよい。さらに、認証用のカードリーダ２４ａは、必ずしも操作パネル２４に隣接して配置する必要はなく、立ち姿勢の顧客Ｍがアクセスし易いブース２０内の任意の場所に配置することができる。
【他の実施の形態】
【００２７】
金庫室１０には、閉鎖形のブース３０を併せて付設してもよい（図４）。
【００２８】
図４において、背面開放形のブース２０は、金庫室１０の一方の長辺に沿って設置され、左右の仕切壁２１、２１の一方は、ブース３０用の壁の一部が流用されている。また、顧客認証用のカードリーダ２４ａは、操作台２３の前面側に設置されている。ブース２０内における貸金庫ボックスＢの利用形態は、図１、図２のブース２０におけるそれと全く同一である。ただし、貸金庫ボックスＢをブース２０の開口部２５に出庫し、開口部２５から入庫する際の受渡し位置は、ブース２０側のラック１１の複列のうち、開口部２５に対応する列内に設定されている（図４の矢印Ｋの位置）。
【００２９】
閉鎖形のブース３０は、四周が壁によって囲まれ、電子錠付きの入室ドア３１が一方の壁に設置されている。入室ドア３１の近傍には、顧客認証用のカードリーダ３１ａが室外側に設置され、顧客が保有する貸金庫ボックスＢ用の鍵によって入室ドア３１を解錠する退室用のキーユニット３１ｂが室内側に設置されている。ブース３０内には、操作台３３上に操作パネル３４を設置するとともに、スライド蓋３５ａ付きの開口部３５が形成されている。ただし、操作台３３は、顧客が椅子３３ａに着席して操作パネル３４、開口部３５にアクセスし得る高さに設定されている。
【００３０】
ブース３０内の操作パネル３４を操作すると、金庫室１０内の所定の貸金庫ボックスＢを開口部３５に出庫させて内部を利用することができ、利用済みの貸金庫ボックスＢをラック１１、１１内の指定位置に戻し入れることができる。ただし、貸金庫ボックスＢを開口部３５に出庫し（図４の矢印Ｋ1 方向）、開口部３５から入庫する際（同図の矢印Ｋ1 と反対方向）の受渡し位置は、開口部３５に最も近いラック１１の列内に設定されており、この受渡し位置と開口部３５との間には、自動シャッタ１７を介してブース３０側、金庫室１０側に分割される図示しないコンベヤが設置されている。そこで、金庫室１０内の移載機１２は、操作パネル３４からの指令によって作動するとき、貸金庫ボックスＢをブース３０側に出庫し、操作パネル２４からの指令によって作動するとき、貸金庫ボックスＢをブース２０側に出庫することができる。
【００３１】
ブース２０において貸金庫ボックスＢを利用するときの作動は、図３のとおりである。ブース３０において貸金庫ボックスＢを利用するときの作動は、たとえば図５のとおりである。
【００３２】
まず、顧客の保有するＩＤカードを室外側のカードリーダ３１ａに読み込ませ、電子錠付きの入室ドア３１を解錠する（図５のステップ（１）、以下、単に（１）のように記す）。次いで、顧客は、入室ドア３１を開けてブース３０に入室し（２）、椅子３３ａに着席して操作パネル３４に暗証番号を入力して受付操作すると（３）、移載機１２が自動スタートして顧客の貸金庫ボックスＢが開口部３５に搬出され（４）、開口部３５に貸金庫ボックスＢが出庫されると、スライド蓋３５ａが自動的に開く（５）。そこで、顧客は、保有している鍵により貸金庫ボックスＢを解錠して内部を利用することができる（６）。
【００３３】
貸金庫ボックスＢの利用が済むと、顧客は、貸金庫ボックスＢを施錠し、操作パネル３４に「返却」指示を入力することにより、スライド蓋３５ａが自動的に閉じ（７）、貸金庫ボックスＢは、ラック１１内の指定位置に自動的に戻し入れされる（８）。一方、顧客は、貸金庫ボックスＢ用の鍵をキーユニット３１ｂに挿入し、抜き取ることによって入室ドア３１を室内側から解錠し（９）、入室ドア３１を開けてブース３０から退室する（１０）。なお、先きの顧客の貸金庫ボックスＢの入庫動作が完了すると、次の顧客による受付操作が可能となる。
【００３４】
金庫室１０内の移載機１２は、スタッカクレーン形に形成してもよい（図６）。
【００３５】
スタッカクレーン形の移載機１２は、図示しない台車上にキャリッジ１２ａを昇降可能に搭載して構成され、台車を介してラック１１、１１の前面に沿って往復移動可能である（図６の矢印Ｋb 方向）。そこで、移載機１２は、キャリッジ１２ａ上の図示しない移載ユニットを介してラック１１、１１内の任意の貸金庫ボックスＢをキャリッジ１２ａ上に引き出し、ラック１１、１１内に設定する受渡し位置を経由して、図示しないコンベヤを介してブース２０側の開口部２５、ブース３０側の開口部３５に出庫させることができ（図６の矢印Ｋ、Ｋ1 方向）、逆の手順により元のラック１１内の指定位置に戻し入れて入庫することができる。なお、図６において、ブース２０側のカードリーダ２４ａ、ブース３０側の入室ドア３１、カードリーダ３１ａ、キーユニット３１ｂは、図示が省略されている。
【００３６】
ブース２０、３０は、金庫室１０の一方の長辺に沿って並設してもよい（図７）。なお、図７において、ブース２０は、自動現金支払機（ＡＴＭ）４２を収納するＡＴＭ用のブース４０、４０…と同一サイズに形成されており、ブース２０、４０、４０…は、パーティション４１、４１…を介して仕切られている。また、ブース２０の正面壁２２は、金庫室１０の周囲の壁の一部を流用しており、仕切壁２１、２１の一方は、ブース３０の壁を流用し、他方は、隣接するブース４０のパーティション４１を流用している。ただし、図７の移載機１２も、スタッカクレーン形として図示されている。
【００３７】
以上の説明において、カードリーダ２４ａは、たとえば指紋、声紋などを認証する生体認証手段に代えてもよい。カードリーダ３１ａについても同様である。また、顧客を認証するために、カードリーダ２４ａ、３１ａや、生体認証手段を設けるときは、操作パネル２４、３４に暗証番号を入力させることを省略することも可能である。
【産業上の利用可能性】
【００３８】
この発明に係る貸金庫装置は、銀行や郵便局などの金融機関の店舗に限らず、スーパーやデパートなどの大形店舗などにも好適に設置することができる。
【符号の説明】
【００３９】
Ｍ…顧客
Ｂ…貸金庫ボックス
１０…金庫室
１１…ラック
２０…ブース
２１…仕切壁
２２…正面壁
２４…操作パネル
２５…開口部
２５ａ…スライド蓋
３０…ブース
３１…入室ドア
特許出願人          株式会社  富士精工本社
代理人  弁理士              松  田  忠  秋
【図１】
2011106132.tif 000003
【図２】
2011106132.tif 000004
【図３】
2011106132.tif 000005
【図４】
2011106132.tif 000006
【図５】
2011106132.tif 000007
【図６】
2011106132.tif 000008
【図７】
2011106132.tif 000009